(57)【要約】      （修正有）【課題】設置自由度が高く、十分な強度を有し、運搬が容易であり、低廉であって、現場で簡単且つ迅速に組み立てられる組立型貯水タンクを提供する。【解決手段】蓋となるための天板エレメント２と、底となるための底板エレメント３と、側壁となるための側板エレメントとを備え、天板エレメント２と底板エレメント３と側板エレメントとを密閉性が保持されるよう垂直及び水平方向に連設させて筐体を形成してなり、側板エレメントは、水平方向に連設するための矩形板である第一側板エレメント４１と、対峙する側壁を形成するための並設された第一側板エレメント４１の連設方向の端部の各々に横架させて端面を形成するための矩形板である第二側板エレメント４２とを含む。【選択図】図２
0003199748.tif 000002
【実用新案登録請求の範囲】
【請求項１】
蓋となるための天板エレメントと、
底となるための底板エレメントと、
側壁となるための側板エレメントとを備え、
前記天板エレメントと前記底板エレメントと前記側板エレメントとを密閉性が保持されるよう垂直及び水平方向に連設させて筐体を形成する組立型貯水タンク。
【請求項２】
請求項１に記載の組立型貯水タンクであって、
前記側板エレメントは、
水平方向に連設するための矩形板である第一側板エレメントと、
対峙する側壁を形成するための並設された前記第一側板エレメントの連設方向の端部の各々に横架させて端面を形成するための矩形板である第二側板エレメントとを含む組立型貯水タンク。
【請求項３】
請求項１又は請求項２に記載の組立型貯水タンクであって、
前記側板エレメントは、
前記第一側板エレメントに対して直角方向に連設するための平面視Ｌ字状板である第三側板エレメントを含む組立型貯水タンク。
【請求項４】
請求項１〜３の何れか一に記載の組立型貯水タンクであって、さらに、
水平方向に並設された前記側板エレメント間に架設され、該側板エレメント間の空間を垂直方向に隔てる仕切りとなるための矩形板である仕切板エレメントを備える組立型貯水タンク。
【請求項５】
請求項１〜４の何れか一に記載の組立型貯水タンクであって、さらに、
前記天板エレメント、前記側板エレメント、前記底板エレメント、前記仕切板エレメントを相互に螺合して固設するためのフランジを備える組立型貯水タンク。
【請求項６】
請求項４又は請求項５に記載の組立型貯水タンクであって、
前記第一側板エレメントは、４つの端面のうち、３つの端面に縁辺に沿って各々溝が形成されるように延在する溝部と、残りの１つの端面に縁辺に沿って突出するように延在する突部とが設けられた矩形板であり、
前記第二側板エレメントは、対峙する一対の２つの端面に縁辺に沿って各々溝が形成されるように延在する溝部と、他の一対の２つの縁部に縁辺に沿って板の厚み方向であって同一の向きに各々突出する突部とが設けられた矩形板であり、
前記天板エレメントは、対峙する一対の２つの縁部に縁辺に沿って板の厚み方向であって同一の向きに各々突出する突部とが設けられた矩形板であり、
前記底板エレメントは、４つの縁部に縁辺に沿って板の厚み方向であって同一の向きに各々突出する突部が設けられた矩形板であり、
前記仕切板エレメントは、４つの縁部に縁辺に沿って板の厚み方向であって同一の向きに各々突出する突部が両面に設けられた矩形板である組立型貯水タンク。
【請求項７】
請求項６に記載の組立型貯水タンクであって、
第三側板エレメントは、何れの端面にも、縁辺に沿って各々溝が形成されるように延在する溝部が設けられた平面視Ｌ字状板である組立型貯水タンク。
【請求項８】
請求項６又は請求項７に記載の組立型貯水タンクであって、
前記仕切板エレメントは、通水するための通水口を備える組立型貯水タンク。
【考案の詳細な説明】
【技術分野】
【０００１】
本考案は、現場で簡単にパーツから組み立て可能とした設置自由度の高い雨水用の組立型貯水タンクに関する。
【背景技術】
【０００２】
全国の自治体において、節水対策として、雨水の有効活用を図るべく、雨水貯水タンクの設置が推奨されている。現在、一般に販売されている雨水貯水タンクは、一体型であるため、運搬しにくく、狭小地には設置できず、比較的高額であるため、普及しにくい側面があった。
【０００３】
このような問題を解消しようとした従来の技術として、図５に示す円筒型貯留タンク１００が知られている（例えば、特許文献１を参照。）。この円筒型貯留タンク１００は、複数の連結孔１０１を備えた連結フランジ１０２を両端に有し、複数枚組み合わせることによって円筒体を形成する円弧状の金属外壁エレメント１０３からなり、金属外壁エレメント１０３をその両端にある連結フランジ１０２に備えられた連結孔１０１を介して複数枚連結して円筒体を形成することで組み立てられる。
【０００４】
この円筒型貯留タンク１００によれば、筐体を構成するパーツ類を比較的単純な構造で厚みのない寸法で分割・形成することで、重ね合わせて保管したり、狭い場所においての運搬や組立・設置作業が容易になると共に、工場での製造過程における大きさを制限でき、製造・加工コストを低減できるとされている。
【０００５】
また、この円筒型貯留タンク１００によれば、円筒状に仮設的に配設された金属外壁エレメント１０３内にビニール袋体を設けて水を充填させ、その水圧でもって真円筒体を正確に形成する工法を採用することで、従来のようなパーツ類の寸法加工精度及び組立精度を必要としない上、加工及び組立精度に起因する筐体のゆがみによる水漏れの要因を排除できるとされている。
【先行技術文献】
【特許文献】
【０００６】
【特許文献１】特開２００９−１２８４９号公報
【考案の概要】
【考案が解決しようとする課題】
【０００７】
しかしながら、従来の円筒型貯留タンク１００は、形状が円筒形であることから、直線の多い建物の形状に沿うことができず、特に、スペースの少ない狭小地では、貯水タンクを設置することが困難であったり、少ないスペースを有効活用できないという問題があった。
【０００８】
また、この円筒型貯留タンク１００は、複数の金属外壁エレメント１０３で組み合わされる貯留タンク１００の筐体内にビニール袋体を設けて水を入れ、さらに充填コンクリートを流し込んで養生し、基礎コンクリートと一体化固定することによって組み立てられるため、組立工程が複雑であり、時間や製造コストも多くかかってしまうという問題があった。
【０００９】
さらに、この円筒型貯留タンク１００は、梁の役割を果たす構造材が設けられてないため、十分な強度が得られない虞があった。
【００１０】
本考案は、従来のこのような問題点に鑑みてなされたものである。本考案の目的の一は、設置自由度が高く、十分な強度を有し、運搬が容易であり、低廉であって、現場で簡単且つ迅速に組み立てられる組立型貯水タンクを提供することにある。
【課題を解決するための手段及び考案の効果】
【００１１】
本考案の第１の側面に係る組立型貯水タンクによれば、蓋となるための天板エレメントと、底となるための底板エレメントと、側壁となるための側板エレメントとを備え、前記天板エレメントと前記底板エレメントと前記側板エレメントとを密閉性が保持されるよう垂直及び水平方向に連設させて筐体を形成することができる。前記構成により、組立型貯水タンクは、側板エレメントと、天板エレメントと、底板エレメントというパーツから現場において組み立てられ、これらのパーツが厚みの少ない板からなるので、重ね合わせて保管したり、狭い場所においての運搬や組立・設置作業が容易になると共に、工場での製造過程における大きさの制限や製造・加工・運搬コストの低減が図られる。また、前記構成により、組立型貯水タンクは、任意の大きさや形に組み立て設置できるので、設置場所の広さや形状に応じた最適な大きさ及び形に組み立てることができる。
【００１２】
本考案の第２の側面に係る組立型貯水タンクによれば、前記側板エレメントは、水平方向に連設するための矩形板である第一側板エレメントと、対峙する側壁を形成するための並設された前記第一側板エレメントの連設方向の端部の各々に横架させて端面を形成するための矩形板である第二側板エレメントとを含むことができる。前記構成によれば、直方体型の組立型貯水タンクを提供できる。
【００１３】
本考案の第３の側面に係る組立型貯水タンクによれば、前前記側板エレメントは、前記第一側板エレメントに対して直角方向に連設するための平面視Ｌ字状板である第三側板エレメントを含むよう構成できる。前記構成により、第三側板エレメントは、平面視Ｌ字状板であるため、貯水タンクを直角方向に屈曲した形状に組み立てることができ、例えば、家屋の直角に屈曲する壁に沿わせることができる。すなわち、設置自由度の高い組立型貯水タンクを提供できる。
【００１４】
本考案の第４の側面に係る組立型貯水タンクによれば、水平方向に並設された前記側板エレメント間に架設され、該側板エレメント間の空間を垂直方向に隔てる仕切りとなるための矩形板である仕切板エレメントを備えることができる。前記構成により、仕切板エレメントを介して構設する側板エレメントの枚数を増減することで貯留できる雨水の内容量と貯水タンクの高さとを容易に調節することができる。また、前記構成により、仕切板エレメントが、構造的に、梁の役割を果たすので、十分な強度を備えることができ、強度不足に起因した筐体のゆがみによる水漏れを防ぐことができる。
【００１５】
本考案の第５の側面に係る組立型貯水タンクによれば、前記天板エレメント、前記側板エレメント、前記底板エレメント、前記仕切板エレメントを相互に螺合して固設するためのフランジを備えることができる。前記構成により、フランジを用いたフランジ接続であることから、ねじ込み接続等に比べて、密閉性に優れると共に、容易に分解又は組立ができる。
【００１６】
本考案の第６側面に係る組立型貯水タンクによれば、前記第一側板エレメントは、４つの端面のうち、３つの端面に縁辺に沿って各々溝が形成されるように延在する溝部と、残りの１つの端面に縁辺に沿って突出するように延在する突部とが設けられた矩形板であり、前記第二側板エレメントは、対峙する一対の２つの端面に縁辺に沿って各々溝が形成されるように延在する溝部と、他の一対の２つの縁部に縁辺に沿って板の厚み方向であって同一の向きに各々突出する突部とが設けられた矩形板であり、前記天板エレメントは、対峙する一対の２つの縁部に縁辺に沿って板の厚み方向であって同一の向きに各々突出する突部とが設けられた矩形板であり、前記底板エレメントは、４つの縁部に縁辺に沿って板の厚み方向であって同一の向きに各々突出する突部が設けられた矩形板であり、前記仕切板エレメントは、４つの縁部に縁辺に沿って板の厚み方向であって同一の向きに各々突出する突部が両面に設けられた矩形板であるよう構成できる。前記構成により、溝部と突部とを嵌合させることで、ズレを生じることなく簡単に各エレメントを組み立てることができる。加えて、フランジによる接続前に、仮組立をすることができるので、組立状態を確認しながら構設することができる。
【００１７】
本考案の第７側面に係る組立型貯水タンクによれば、第三側板エレメントは、何れの端面にも、縁辺に沿って各々溝が形成されるように延在する溝部が設けられた平面視L字状板であるよう構成できる。前記構成により、第三側板エレメントの溝部は、縁辺に沿って設けられており、第一側板エレメントの突部と仕切り板エレメントの突部とを嵌合することで仮組立をすることができるので、フランジを介して螺合する前に、組立状態を確認しながら構設することができる。また、第三側板エレメントは、平面視Ｌ字状板であるため、貯水タンクを直角方向に屈曲した形状に組み立てることができ、例えば、家屋の直角に屈曲する壁に沿わせることができる。
【００１８】
本考案の第８側面に係る組立型貯水タンクによれば、仕切板エレメントは、通水するための通水孔を備える構成とすることができる。前記構成により、下方から順に貯水することができる。
【図面の簡単な説明】
【００１９】
【図１】本考案の一実施形態に係る組立型貯水タンクを平面視Ｌ字型に組み立て、家屋に設置した全体構成を示す模式図である。
【図２】本考案の一実施形態に係る組立型貯水タンクの構成を示す模式図である。
【図３】本考案の一実施形態に係る組立型貯水タンクの各エレメントの構成を説明するための、図３Ａは、天板エレメントの模式図であり、図３Ｂは、底板エレメントの模式図であり、図３Ｃは、第一側板エレメントの模式図であり、図３Ｄは、第二側板エレメントの模式図であり、図３Ｅは、第三側板エレメントの模式図であり、図３Ｆは、仕切板エレメントの模式図である。
【図４】本考案の一実施形態に係る組立型貯水タンクのバリエーションを説明するための、図４Ａは、最小単位の組立型貯水タンクの模式図であって、図４Ｂは、垂直方向に連設した場合の組立型貯水タンクの模式図であって、図４Ｃは、水平方向に連設した場合の組立型貯水タンクの模式図であって、図４Ｄは、平面視Ｌ字状に連設した場合の組立型貯水タンクの模式図である。
【図５】従来の組立型貯水タンクの概略図である。
【考案を実施するための形態】
【００２０】
以下、本考案の実施の形態を図面に基づいて説明する。ただし、以下に示す実施の形態は、本考案の技術思想を具体化するための例示であって、本考案は以下のものに特定されない。また、本明細書は実用新案登録請求の範囲に示される部材を、実施の形態の部材に特定するものでは決してない。特に実施の形態に記載されている構成部品の寸法、材質、形状、その相対的配置等は特に特定的な記載がない限りは、本考案の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本考案を構成する各要素は、複数の要素を同一の部材で構成して一の部材で複数の要素を兼用する態様としてもよいし、逆に一の部材の機能を複数の部材で分担して実現することもできる。
【００２１】
本考案の一実施形態に係る組立型貯水タンク１を平面視Ｌ字型に組み立て、家屋に設置した全体構成を示す模式図を図１に示す。組立型貯水タンク１は、図１に示すように、それぞれ大きさ及び形状が同じ複数種のエレメントを備え、これらのエレメントを用いて、設置場所において、設置場所に好適な形状に組み立てられる。
（組立型貯水タンク１の構成）
【００２２】
図１乃至図３を参照にして、組み立て後の組立型貯水タンク１の構成について説明する。組立型貯水タンク１は、図１乃至図３に示すように、蓋となるための天板エレメント２と、底となるための底板エレメント３と、側壁となるための側板エレメント４（図示せず。）と、垂直方向に隔てる仕切りとなるための仕切板エレメント５とを主要部として備えている。
【００２３】
天板エレメント２は、図３Ａに示すように、対峙する一対の２つの縁部に縁辺に沿って板の厚み方向であって同一の向きに各々突出する突部２１が設けられた、例えば、繊維強化プラスチック等の合成樹脂からなる矩形板である。また、天板エレメント２は、通常、複数枚用いられ、好ましくは、少なくとも一枚が、雨水の導入口となるパイプＰＩの挿入口２２と、ゴミ採り用フィルターとを有する濾過装置２３とを備えている。
【００２４】
底板エレメント３は、図３Ｂに示すように、突部３１を備え、例えば、繊維強化プラスチック等の合成樹脂からなる矩形板であって、通常、複数枚用いられる。底板エレメント３の突部３１は、４つの縁部に縁辺に沿って板の厚み方向であって同一の向きに各々突出する。
【００２５】
側板エレメント４は、以下の３つのタイプがあり、通常、それぞれ複数枚ずつ用いられる。１つ目は、水平方向に連設するための第一側板エレメント４１である。この第一側板エレメント４１は、例えば、繊維強化プラスチック等の合成樹脂からなる矩形板であって、図３Ｃに示すように、溝部４１１と、突部４１２とを主要部として備えている。溝部４１１は、第一側板エレメント４１の４つの端面のうち、３つの端面に縁辺に沿って各々溝が形成されるように延在する。また、第一側板エレメント４１の突部４１２は、残りの１つの端面に縁辺に沿って突出するように延在する。
【００２６】
また、組み立て後の組立型貯水タンク１において、好ましくは、上段に位置する第一側板エレメント４１の少なくとも一枚が、規定の水位を超えた雨水等を排水するための第一排水口４１３（図示せず）を備える。さらに、第一排水口４１３から排出される雨水等を外部へ誘導するための排水パイプ４１４（図示せず）を備えることもできる。
【００２７】
また、組み立て後の第一側板エレメント４１において、好ましくは、下段に位置する第一側板エレメント４１の少なくとも一枚が、貯水した雨水等を利用するための第二排水口４１５（図示せず）を備える。さらに、第二排水口４１５に雨水等を外部へ誘導するための排水ポンプ４１６（図示せず）を備えることもできる。
【００２８】
２つ目は、対峙する側壁を形成するための並設された第一側板エレメント４１の連設方向の端部の各々に横架させて端面を形成するための第二側板エレメント４２である。この第二側板エレメント４２は、例えば、繊維強化プラスチック等の合成樹脂からなる矩形板であって、図３Ｄに示すように、溝部４２１と、突部４２２とを主要部として備えている。第二側板エレメント４２の溝部４２１は、対峙する一対の２つの端面に縁辺に沿って各々溝が形成されるように延在する。また、第二側板エレメント４２の突部４２２は、他の一対の２つの縁部に縁辺に沿って板の厚み方向であって同一の向きに各々突出する。
【００２９】
また、第二側板エレメント４２は、上段に位置する第一側板エレメント４１と同様の趣旨から、第一排水口４２３及び排水パイプ４２４を備えるようにしてもよく、下段に位置する第一側板エレメント４１と同様の趣旨から、第二排水口４２５及び排水ポンプ４２６を備えるようにしてもよい。
【００３０】
３つ目は、第一側板エレメント４１に対して直角方向に連設するための第三側板エレメント４３である。この第三側板エレメント４３は、例えば、繊維強化プラスチック等の合成樹脂からなる平面視Ｌ字状板であって、図３Ｅに示すように、溝部４３１を備えている。第三側板エレメント４３の溝部４３１は、何れの端面にも、縁辺に沿って各々形成されるように延在する。
【００３１】
仕切板エレメント５は、図３Ｆに示すように、突部５１を備え、水平方向に並設された側板エレメント４間に架設され、側板エレメント４間の空間を垂直方向に隔てる仕切りとなるための、例えば、繊維強化プラスチック等の合成樹脂からなる矩形板である。また、仕切板エレメント５は、通常、複数枚用いられ、少なくとも一枚は、通水するための、通水口５２を備えている。仕切板エレメント５の突部５１は、仕切板エレメント５の両面に設けられ、４つの縁部に縁辺に沿って板の厚み方向であって同一の向きに各々突出する。
【００３２】
なお、各エレメントの突部及び溝部は、隣接するエレメント同士が嵌合できればよく、前記形状及び位置に限定されない。
【００３３】
天板エレメント２，底板エレメント３，側板エレメント４及び仕切板エレメント５の外側には、図２に示すように、フランジ６が設けられている。フランジ６は、図２に示すように、矩形状であって、複数の連結孔６１を備え、各エレメントの上下左右の外側縁部に、エレメント同士を相互に螺合して固設するために設けられており、連結孔６１を介してボルト６２及びナット６３によって螺合される。
【００３４】
また、各エレメントの嵌合部及び隣接部は、より密閉性を高めるために、例えば、シリコン樹脂等のコーキング剤が充填されている。
（組立型貯水タンク１の組立方法）
【００３５】
先ず、組立型貯水タンク１の組立前に、組立型貯水タンク１を組み立てるために必要な数の各種エレメントを適宜選択し、パーツとして設置現場へ運搬して準備を完了しておく。組立型貯水タンク１を埋設する場合には、掘削等によって、そのためのスペースを確保する。そして、設置現場では、敷地内の所定設置スペースを勘案し、適宜の各種エレメントを使って組み立て、組立型貯水タンク１を構設する。ここでは、主として、最小単位、及び、直方体型、並びに、Ｌ字型の組立型貯水タンク１の組立方法について説明する。
（最小単位の組立型貯水タンク１の組立方法）
【００３６】
図４Ａを参照して、最小単位の組立型貯水タンク１の組立方法を説明する。先ず、底となるための底板エレメント３を底面に配置する。そして、二枚の第一側板エレメント４１を対峙するよう側面に配置し、底板エレメント３の突部３１と第一側板エレメントの溝部４１１とを嵌合させる。
【００３７】
次いで、二枚の第二側板エレメント４２を第一側板エレメント４１の連設方向の端部の各々に横架するように配置し、第二側板エレメント４２の突部４２２と第一側板エレメント４１の溝部４１１とを、さらに、底板エレメント３の突部３１と第二側板エレメント４２の溝部４２１とを嵌合させる。
【００３８】
最後に、天板エレメント２が上面に位置する蓋となるよう、天板エレメントの突部２１と、第一側板エレメント４１の溝部４１１及び第二側板エレメント４２の溝部４２１とを嵌合させ、各エレメントの外側に設けられたフランジ６にて連結孔６１を介してボルト６２及びナット６３によって螺合する。これによって、最小単位の組立型貯水タンク１が組み立てられる。
（直方体型の組立型貯水タンク１の組立方法）
（垂直方向への連設方法）
【００３９】
次に、組立型貯水タンク１を垂直方向に構設する際には、図４Ｂに示すように、先ず、前述した最小単位の組立型貯水タンク１の天板エレメント２を仕切板エレメント５とし、一段目を組み立てる。続いて、一段目の仕切板エレメント５の突部５１と、二段目となる二枚の第一側板エレメント４１の溝部４１１及び第二側板エレメント４２の溝部４２１とを一段目と同様の配置となるよう嵌合させ、二段目となる溝部４１１及び溝部４２１を、二段目となる仕切板エレメント５の突部６１と嵌合させる。
【００４０】
前述のような、第一側板エレメント４１，第二側板エレメント４２及び仕切板エレメント５を積層する作業を繰り返し、所望の段数に組み立てた後、一番上の段の第一側板エレメント４１の溝部４１１及び第二側板エレメント４２の溝部４２１と天板エレメント２の突部２１とを嵌合させ、各エレメントの外側に設けられたフランジ６にて連結孔６１を介してボルト６２及びナット６３によって螺合する。
（水平方向への連設方法）
【００４１】
続いて、水平方向に構設する際には、図４Ｃに示すように、先ず、前述した最小単位の組立型貯水タンク１を、連結方向の第二側板エレメント４２がない状態に組み立てることにより一列目とする。次に、二列目となる天板エレメント２の突部２１及び底板エレメント３の突部３１と、二列目となる二枚の第一側板エレメント４１の溝部４１１とを嵌合し、一列目の第一側板エレメント４１の溝部４１１と、二列目となる二枚の第一側板エレメント４１の突部４１２とを嵌合させる。
【００４２】
前述のような、天板エレメント２，底板エレメント３及び第一側板エレメント４１を連設する作業を繰り返し、所望の列数に組み立てた後、第二側板エレメント４２の突部４２２と、最終列の第一側板エレメント４１の突部４１２とを嵌合し、各エレメントの外側に設けられたフランジ６にて連結孔６１を介してボルト６２及びナット６３によって螺合する。これによって、直方体型の組立型貯水タンク１が組み立てられる。
（Ｌ字型の組立型貯水タンク１の組立方法）
【００４３】
家屋の直角に屈曲する壁に沿わせる場合には、図４Ｄに示すように、例えば、前述のように、水平方向に各エレメントを直方体型に組み立て、家屋の壁の直角部においては、底板エレメント３をＬ字状に配置し、底板エレメント３の突部３１と、二枚の平面視Ｌ字状板の第三側板エレメント４３の溝部４３１とを嵌合させる。次に、二枚の平面視Ｌ字状板の第三側板エレメント４３の溝部４３１を隣接する二枚の第一側板エレメント４１の突部４１２とを嵌合させる。続いて、二枚の平面視Ｌ字状板の第三側板エレメント４３の溝部４３１を連設する二枚の第一側板エレメント４１の突部４１２と嵌合させる。最後に、天板エレメント２又は仕切板エレメント５をＬ字状に配置し、天板エレメント２の突部２１又は仕切板エレメント５の突部５１と、二枚の平面視Ｌ字状板の第三側板エレメント４３の溝部４３１とを嵌合させる。
【００４４】
前述のような、天板エレメント２，底板エレメント３，第一側板エレメント４１，第三側板エレメント４３及び仕切板エレメント５を連設する作業を繰り返し、所望の列数又は／及び段数に組み立てた後、各エレメントの外側に設けられたフランジ６にて連結孔６１を介してボルト６２及びナット６３によって螺合する。これによって、家屋の直角に沿わせてＬ字型の組立型貯水タンク１を組み立てることができる。
【００４５】
なお、組立型貯水タンク１は、前述の形状に限られず、例えば、平面視コ字状や平面視口状というように、設置場所に応じて、任意の形状に組み立てることができる。
【００４６】
ここで、全ての組立方法において、各エレメントの嵌合部及び隣接部には、より密閉性を高めるために、例えば、シリコン樹脂等のコーキング剤を充填する。
（組立型貯水タンク１の使用方法）
【００４７】
続いて、図１及び図２を参照して、前述の組立型貯水タンク１の使用方法について説明する。
【００４８】
家屋の屋根に降った雨水等は、パイプＰＩ及び濾過装置２３を介して組立型貯水タンク１内に貯留される。組立型貯水タンク１内に貯留された雨水等は、排水ポンプ４１６及び／又は排水ポンプ４２６を経由してトイレ排水や園芸用の散水に活用される。
【００４９】
組立型貯水タンク１内に貯留された雨水が規定の水位を上回った場合、第一排水口４１３及び／又は第一排水口４２３より自然排出される。
【００５０】
以上の通り、本考案によれば、設置自由度が高く、十分な強度を有し、運搬が容易であり、低廉であって、現場で簡単且つ迅速に組み立てられる組立型貯水タンクを提供することができる。
【００５１】
この組立型貯水タンクは大容量に組み立て可能であることから、例えば、都市部や低市街地において問題となっている「雨水による家屋の浸水」に対する治水対策として活用できる。
【００５２】
また、この組立型貯水タンク内に貯留された雨水等は、排水ポンプを経由して様々なニーズに対して活用できる。例えば、雨水をトイレ・風呂等に利用し、水不足の解消に供したり、災害時における水の補給源としても有用である。
【００５３】
なお、本考案は前述した実施の形態のみに限定されるものではなく、本考案の要旨を逸脱しない範囲において種々の変更が可能であることは勿論である。
【符号の説明】
【００５４】
１…組立型貯水タンク、２…天板エレメント、２１…突部、２２…挿入口、２３…濾過装置、３…底板エレメント、３１…突部、４…側板エレメント、４１…第一側板エレメント、４１１…溝部、４１２…突部、４１３…第一排水口、４１４…排水パイプ、４１５…第二排水口、４１６…排水ポンプ、４２…第二側板エレメント、４２１…溝部、４２２…突部、４２３…第一排水口、４２４…排水パイプ、４２５…第二排水口、４２６…排水ポンプ、４３…第三側板エレメント、４３１…溝部、５…仕切板エレメント、５１…突部、５２…挿通口、６…フランジ、６１…連結孔、６２…ボルト、６３…ナット、ＰＩ…パイプ、１００…円筒型貯留タンク、１０１…連結孔、１０２…連結フランジ、１０３…金属外壁エレメント、１０３…金属外壁エレメント
【図１】
0003199748.tif 000003
【図２】
0003199748.tif 000004
【図３】
0003199748.tif 000005
【図４】
0003199748.tif 000006
【図５】
0003199748.tif 000007
【手続補正書】
【提出日】平成27年7月6日(2015.7.6)
【手続補正１】
【補正対象書類名】実用新案登録請求の範囲
【補正対象項目名】全文
【補正方法】変更
【補正の内容】
【実用新案登録請求の範囲】
【請求項１】
蓋となるための天板エレメントと、
底となるための底板エレメントと、
側壁となるための側板エレメントとを備え、
前記天板エレメントと前記底板エレメントと前記側板エレメントとを密閉性が保持されるよう垂直及び水平方向に連設させて筐体を形成する組立型貯水タンク。
【請求項２】
請求項１に記載の組立型貯水タンクであって、
前記側板エレメントは、
水平方向に連設するための矩形板である第一側板エレメントと、
対峙する側壁を形成するための並設された前記第一側板エレメントの連設方向の端部の各々に横架させて端面を形成するための矩形板である第二側板エレメントとを含む組立型貯水タンク。
【請求項３】
請求項２に記載の組立型貯水タンクであって、
前記側板エレメントは、
前記第一側板エレメントに対して直角方向に連設するための平面視Ｌ字状板である第三側板エレメントを含む組立型貯水タンク。
【請求項４】
請求項３に記載の組立型貯水タンクであって、さらに、
水平方向に並設された前記側板エレメント間に架設され、該側板エレメント間の空間を垂直方向に隔てる仕切りとなるための矩形板である仕切板エレメントを備える組立型貯水タンク。
【請求項５】
請求項４に記載の組立型貯水タンクであって、さらに、
前記天板エレメント、前記側板エレメント、前記底板エレメント、前記仕切板エレメントを相互に螺合して固設するためのフランジを備える組立型貯水タンク。
【請求項６】
請求項４又は請求項５に記載の組立型貯水タンクであって、
前記第一側板エレメントは、４つの端面のうち、３つの端面に縁辺に沿って各々溝が形成されるように延在する溝部と、残りの１つの端面に縁辺に沿って突出するように延在する突部とが設けられた矩形板であり、
前記第二側板エレメントは、対峙する一対の２つの端面に縁辺に沿って各々溝が形成されるように延在する溝部と、他の一対の２つの縁部に縁辺に沿って板の厚み方向であって同一の向きに各々突出する突部とが設けられた矩形板であり、
前記天板エレメントは、対峙する一対の２つの縁部に縁辺に沿って板の厚み方向であって同一の向きに各々突出する突部とが設けられた矩形板であり、
前記底板エレメントは、４つの縁部に縁辺に沿って板の厚み方向であって同一の向きに各々突出する突部が設けられた矩形板であり、
前記仕切板エレメントは、４つの縁部に縁辺に沿って板の厚み方向であって同一の向きに各々突出する突部が両面に設けられた矩形板である組立型貯水タンク。
【請求項７】
請求項６に記載の組立型貯水タンクであって、
第三側板エレメントは、何れの端面にも、縁辺に沿って各々溝が形成されるように延在する溝部が設けられた平面視Ｌ字状板である組立型貯水タンク。
【請求項８】
請求項６又は請求項７に記載の組立型貯水タンクであって、
前記仕切板エレメントは、通水するための通水口を備える組立型貯水タンク。